(57)【特許請求の範囲】
【請求項１】
発光素子が搭載される素子搭載部を有する基体部と、前記基体部上に前記素子搭載部を取り囲んで形成され、前記基体部と反対側が開口する枠体部と、前記枠体部上に形成される突起部と、が一体成型された単層のセラミック焼結体からなる基板本体と、
前記枠体部上に形成され、前記枠体部の開口及び前記突起部を取り囲むと共に、前記突起部の高さより高い囲繞部と、
前記枠体部上における前記突起部と前記囲繞部との間に形成され、前記発光素子の電極と電気的に接続される電極パッドと、
を備え、
前記基体部の前記枠体部で囲まれる領域の内、少なくとも前記素子搭載部以外の領域、及び、前記枠体部の内周面から前記突起部の前記枠体部と最も離れた位置までの領域において、前記セラミック焼結体に金属層が被着されておらず、
前記突起部は、前記枠体部における前記突起部が形成される面と対向する平面を有すると共に、前記電極パッド側の面の傾斜角度が前記開口側の面の傾斜角度よりも大きくなるように形成される
ことを特徴とする発光素子搭載用基板。
【請求項２】
前記突起部は、前記開口を囲んでいることを特徴とする請求項１に記載の発光素子搭載用基板。
【請求項３】
前記突起部は、前記開口から離間していることを特徴とする請求項１または２に記載の発光素子搭載用基板。
【請求項４】
前記枠体部及び前記囲繞部の内周面は、前記枠体部の開口方向において、外側に向かって広がる傾斜面とされ、
前記囲繞部の内周面の傾斜角度は、前記枠体部の内周面の傾斜角度より大きい
ことを特徴とする請求項１〜３のいずれか１項に記載の発光素子搭載用基板。
【請求項５】
請求項１〜４のいずれか１項に記載の発光素子搭載用基板と、
前記素子搭載部に搭載され、前記電極が前記電極パッドとボンディングワイヤにより電気的に接続される発光素子と、
前記枠体部の前記開口内、及び、前記囲繞部で囲まれる領域に充填される光透過性の樹脂と、
を備える
ことを特徴とする発光装置。
【請求項６】
発光素子が搭載される素子搭載部を有する基体部と、前記基体部上に前記素子搭載部を取り囲んで形成される枠体部と、前記枠体部上に形成される突起部と、を有する基板本体を一体成型のセラミック焼結体により作製する本体作製工程と、
前記枠体部上における前記突起部を基準とした前記枠体部の開口側と反対側に前記発光素子の電極と電気的に接続される配線導体を形成する配線導体形成工程と、
前記枠体部の開口と前記突起部と前記配線導体の一部とを取り囲み、前記突起部の高さより高い囲繞部を前記枠体部上に形成する囲繞部形成工程と、
を備え、
前記本体作製工程は、
単層のセラミックグリーンシートにプレス成型を施すことにより、前記基体部と、前記枠体部と、前記突起部とを一体形成するプレス工程と、
プレス成型された前記セラミックグリーンシートを焼成する焼成工程と、
を備え、
前記基体部の前記枠体部で囲まれる領域の内少なくとも前記素子搭載部以外の領域、及び、前記枠体部の内周面から前記突起部の前記枠体部と最も離れた位置までの領域において、前記セラミック焼結体に金属層が被着されず、
前記突起部は、前記枠体部における前記突起部が形成される面と対向する平面を有すると共に、前記枠体部上の前記配線導体側の面の傾斜角度が前記開口側の面の傾斜角度よりも大きくなるように形成される
ことを特徴とする発光素子搭載用基板の製造方法。
【発明の詳細な説明】
【技術分野】
【０００１】
本発明は、発光ダイオード等の発光素子を搭載するための発光素子搭載用基板、及び、それを用いた発光装置、及び、発光素子搭載用基板の製造方法に関する。
【背景技術】
【０００２】
発光素子の一つである発光ダイオードの搭載用基板として、従来からセラミック製の基板が用いられており、下記特許文献１に示す発光素子搭載用基板が提案されている。
【０００３】
特許文献１の発光素子搭載用基板は、キャビティが形成されたセラミック基板と、キャビティの底面に形成される第１電極パッド、第２電極パッドと、セラミック基板の裏面に形成される配線端子と、セラミック基板内部に形成され、電極パッドと配線端子とを導通する配線導体と、から構成されている。
【０００４】
この第１電極パッドの表層は金メッキ層から成り、第２電極パッドの表層は銀メッキから成る。そして、発光素子が第２電極パッド上に導電性接合材やはんだにより固定されるとともに、発光素子の電極と第１電極パッドとがボンディングワイヤを介して電気的に接続される。また、キャビティには、発光素子の保護等を目的として、発光素子を覆うように封止樹脂が充填される。
【先行技術文献】
【特許文献】
【０００５】
【特許文献１】特開２００８−０１６５９３号公報
【発明の概要】
【発明が解決しようとする課題】
【０００６】
しかし、キャビティの底面に被着される電極パッドの金メッキ層は、光の特定の波長に対する反射率の変動が大きく、発光素子が発光する光を効率よく反射しにくい傾向がある。
【０００７】
また、キャビティの底面に被着される電極パッドの銀メッキ層は、長期間の使用により、マイグレーションや酸化腐食等により変色し易いため、この変色により発光素子が発光する光の反射効率が時間の経過とともに低下する傾向がある。
【０００８】
従って、特許文献１に記載の発光素子搭載用基板のようにキャビティの底面に金属層があると、その金属層により、発光素子が発光する光の反射効率が低下したり、長期間の使用により光の反射効率が更に低下したりするという不具合が生じ易い。
【０００９】
そこで、本発明は、このような事情を考慮してなされたものであり、長期間に亘って優れた光の反射効率を発揮する発光装置を実現可能な発光素子搭載用基板、及び、それを用いた発光装置、及び、発光素子搭載用基板の製造方法を提供することを目的とする。
【課題を解決するための手段】
【００１０】
上記課題を解決するため、本発明の発光素子搭載用基板は、発光素子が搭載される素子搭載部を有する基体部と、前記基体部上に前記素子搭載部を取り囲んで形成され、前記基体部と反対側が開口する枠体部と、前記枠体部上に形成される突起部と、が一体成型されたセラミック焼結体からなる基板本体と、前記枠体部上に形成され、前記枠体部の開口及び前記突起部を取り囲むと共に、前記突起部の高さより高い囲繞部と、前記枠体部上における前記突起部と前記囲繞部との間に形成され、前記発光素子の電極と電気的に接続される電極パッドと、を備え、前記基体部の前記枠体部で囲まれる領域の内、少なくとも前記素子搭載部以外の領域、及び、前記枠体部の内周面から前記突起部の前記枠体部と最も離れた位置までの領域において、前記セラミック焼結体が露出していることを特徴とするものである。
【００１１】
このような発光素子搭載用基板によれば、素子搭載部に発光素子を搭載して発光装置とする場合に、発光素子が発光する光は、直接発光装置の外部に出射されたり、基板本体の表面で反射して外部に出射する。このとき基板本体においては、基体部の枠体部で囲まれる領域の内少なくとも素子搭載部以外の領域、及び、前記枠体部の内周面から前記突起部の前記枠体部と最も離れた位置までの領域において、セラミック焼結体が露出しているため、光は、露出したセラミック焼結体で直接反射する。従って、金属層による反射効率の低下を防止することができる。また、この発光素子搭載用基板において、基板本体は、基体部と枠体部と突起部とが一体成型されたセラミック焼結体から成るため、基体部と枠体部との間、及び、枠体部と突起部との間に、接合層が形成されない。従って、上記のように、光が基板本体の表面で反射して外部に出射する場合において、基板本体の反射面における基体部と枠体部との境界や、枠体部と突起部との境界に、素子搭載部に搭載される発光素子から出射される光が到達することがあっても、接合層により反射効率が低減することを防止することができる。
【００１２】
また、枠体部を有する発光素子搭載用基板を用いて発光装置とする場合、素子搭載部に発光素子が搭載されて、通常、枠体部の開口内、及び、囲繞部で囲まれる領域が、光透過性の樹脂で充填される。このような場合、発光素子から出射される光の一部が、樹脂の界面で反射したり、樹脂内部で散乱する場合がある。しかし、本発明の発光素子搭載用基板によれば、発光素子から出射される光は、突起部により遮られて電極パッドに届きにくくなり、電極パッドで反射する光の量を低減することができる。従って、電極パッドによる反射効率の低下や、電極パッドの経時劣化による反射効率の更なる低下といった不具合を低減することができる。このように本発明の発光素子搭載用基板を用いることにより、長期間に亘って優れた光の反射効率を発揮する発光装置を実現することができる。
【００１３】
さらに、前記基板本体は、単層のセラミック焼結体から成ることが好ましい。
【００１４】
例えば、グリーン積層法等により基板本体が多層から形成される場合、基体部と枠体部との間、及び、枠体部と突起部との間には、積層界面が形成される。しかし、基板本体が、単層のセラミック焼結体から成ることにより、この積層界面が形成されることが防止されるので、基体部と枠体部との境界や、基板本体の反射面における枠体部と突起部との境界に、素子搭載部に搭載される発光素子から出射される光が到達する場合であっても、積層界面により反射効率が低減することを防止することができる。従って、このような発光素子搭載用基板を用いることにより、光の反射効率がより良好な発光装置を実現することができる。
【００１５】
また、前記突起部は、前記開口を囲んでいることが好ましい。
【００１６】
突起部が枠体部の開口を囲むことにより、突起部の開口側の面により、素子搭載部に搭載される発光素子から出射される光をより反射することができる。従って、このような発光素子搭載用基板を用いることにより、光の反射効率がより良好な発光装置を実現することができる。
【００１７】
また、前記突起部は、前記開口から離間していることが好ましい。
【００１８】
突起部を枠体部の開口から離間させることにより、枠体部の開口を形成する内周面から連続して突起部の開口側の面が形成される場合と比べると、素子搭載部に搭載される発光素子から出射される光が電極パッドに回り込むことをより抑制することができる。
【００１９】
また、前記突起部は、前記枠体部における前記突起部が形成される面と対向する平面を有することが好ましい。
【００２０】
このように突起部が枠体部の面と対向する平面を有することにより、枠体部側と反対側の形状が曲面状である同じ高さの突起部と比べると、素子搭載部に搭載される発光素子から出射される光が電極パッドに回り込むことをより抑制することができる。従って、電極パッドによる反射効率の低下や、電極パッドの経時劣化による反射効率の更なる低下といった不具合をより低減することができる。
【００２１】
また、前記枠体部及び前記囲繞部の内周面は、前記枠体部の開口方向において、外側に向かって広がる傾斜面とされ、前記囲繞部の内周面の傾斜角度は、前記枠体部の内周面の傾斜角度より大きいことが好ましい。
【００２２】
枠体部の内周面が、枠体部の開口方向において、外側に向かって広がる傾斜面とされるため、素子搭載部に搭載される発光素子から出射される光の内、広がるように進む光の少なくとも一部は、枠体部の内周面で反射して、進行方向が枠体部の開口方向に近づくように補正される。そして、囲繞部の内周面の傾斜角度が、枠体部の内周面の傾斜角度より大きくされることにより、囲繞部の内周面の傾斜角度が、枠体部の内周面の傾斜角度以下である場合と比べて、発光素子から広がるように出射される光の内、枠体部の内周面で反射されない光が、囲繞部の内周面で反射され易くなる。囲繞部で反射される光は、囲繞部の内周面が、枠体部の開口方向において、外側に向かって広がる傾斜面であるため、進行方向が枠体部の開口方向に近づくように補正される。従って、このような発光素子搭載用基板を用いることにより、光の集光性が良好な発光装置を実現することができる。
【００２３】
また、前記突起部は、前記電極パッド側の面の傾斜角度が、前記開口側の面の傾斜角度よりも大きくなるように形成されることが好ましい。
【００２４】
このような構成の発光素子搭載用基板によれば、突起部の電極側の面が開口方向により近く反り立つため、反射や散乱等により電極パッドに向かう光が、電極パッドに到達することをより低減することができる。従って、電極パッドに光が到達することに起因する反射効率の低下をより低減することができる。
【００２５】
また、本発明の発光装置は、上記のいずれかに記載の発光素子搭載用基板と、前記素子搭載部に搭載され、電極が前記電極パッドとボンディングワイヤにより電気的に接続される発光素子と、前記枠体部の前記開口内、及び、前記囲繞部で囲まれる領域に充填される光透過性の樹脂と、を備えることを特徴とするものである。
【００２６】
このような発光装置によれば、長期間に亘って優れた光の反射効率を発揮することができる。
【００２７】
また、本発明の発光素子搭載用基板の製造方法は、発光素子が搭載される素子搭載部を有する基体部と、前記基体部上に前記素子搭載部を取り囲んで形成される枠体部と、前記枠体部上に形成される突起部と、を有する基板本体を一体成型のセラミック焼結体により作製する本体作製工程と、前記枠体部上における前記突起部を基準とした前記枠体部の開口側と反対側に前記発光素子の電極と電気的に接続される配線導体を形成する配線導体形成工程と、前記枠体部の開口と前記突起部と前記配線導体の一部とを取り囲み、前記突起部の高さより高い囲繞部を前記枠体部上に形成する囲繞部形成工程と、を備え、前記基体部の前記枠体部で囲まれる領域の内少なくとも前記素子搭載部以外の領域、及び、前記枠体部の内周面から前記突起部の前記枠体部と最も離れた位置までの領域において、前記セラミック焼結体が露出された状態とされることを特徴とするものである。
【００２８】
このような発光素子搭載用基板の製造方法により製造される発光素子搭載用基板は、囲繞部で囲まれる配線導体が電極パッドとなり、この結果、枠体部上における突起部と囲繞部との間に電極パッドが形成される。従って、長期間に亘って優れた光の反射効率を発揮する発光装置を実現可能な発光素子搭載用基板を製造することができる。
【００２９】
さらに前記本体形成工程は、単層のセラミックグリーンシート２にプレス成型を施すことにより、前記基体部と、前記枠体部と、前記突起部とを一体形成するプレス工程と、プレス成型された前記セラミックグリーンシートを焼成する焼成工程と、を備えることが好ましい。
【００３０】
このような発光素子搭載用基板の製造方法によれば、単層のセラミックグリーンシートのプレス成型により、基板本体が形成されることで、基体部の表面と枠体部の表面との境界や、枠体部の表面と突起部の表面との境界に、積層界面が生じることを防止することができる。従って、光の反射効率がより良好な発光装置を実現可能な発光素子搭載用基板を製造することができる。なお、このように単層のセラミックグリーンシートのプレス成型により、基板本体が形成されることが好ましいが、セラミック粒子同士の摩擦係数が高いため、一般にセラミックグリーンシートのプレス成形時にセラミック粒子を全体的に大きく移動させることは困難である。従って、セラミックグリーンシートのプレス成型により枠体部の開口を形成することは、一般的に困難とされる。しかし、本発明の発光素子搭載用基板の製造方法によれば、プレス成型前のセラミックグリーンシートにおいて、開口されるべき場所に位置するセラミック粒子を、プレス成型の圧力によって突起部に移動させることができる。このためセラミック粒子を全体的に大きく移動させることを必要とせず、適切に開口を形成することができる。従って、このような発光素子搭載用基板の製造方法によれば、光の反射効率がより良好な発光装置を実現可能な発光素子搭載用基板を適切に製造することができる。
【発明の効果】
【００３１】
上記のように、本発明によれば、長期間に亘って優れた光の反射効率を発揮する発光装置を実現することができる発光素子搭載用基板、及び、それを用いた発光装置、及び、発光素子搭載用基板の製造方法が提供される。
【図面の簡単な説明】
【００３２】
【図１】本実施形態の発光装置の斜視図である。
【図２】図１の発光装置の断面図である。
【図３】図２に示す突起部の拡大図である。
【図４】図１に示す発光装置を製造する工程を示すフローチャートである。
【図５】シート準備工程において準備されるセラミックグリーンシートを示す図である。
【図６】プレス工程後のセラミックグリーンシートの様子を示す断面図である。
【図７】配線導体形成工程後のセラミック焼結体の様子を示す断面図である。
【図８】囲繞部形成工程後のセラミック焼結体の様子を示す断面図である。
【図９】素子実装工程後の様子を示す図である。
【図１０】突起部の変形例を示す図である。
【発明を実施するための形態】
【００３３】
以下、本発明の発光素子搭載用基板、及び、それを用いた発光装置、及び、発光素子搭載用基板の製造方法に係る好適な実施形態について図面を参照しながら詳細に説明する。
【００３４】
図１は、本発明の実施形態に係る発光装置の斜視図であり、図２は、図１の発光装置１の断面図である。図１、図２に示すように、本実施形態の発光装置１は、発光素子搭載用基板１０と、発光素子搭載用基板１０に搭載される発光素子３０と、発光素子３０を封止する封止樹脂５０とを主な構成として備える。なお、理解の容易のため、図１においては、封止樹脂５０が省略されており、図２においては、発光素子３０は断面で記載されていない。
【００３５】
発光素子搭載用基板１０は、基板本体１１と、囲繞部１２と、基板本体１１の表面に形成されて一部が電極パッド４１ａとなる配線導体と、を備えている。
【００３６】
基板本体１１は、基体部７と、基体部７上に形成される枠体部８と、枠体部８上に形成される突起部９とから成る。
【００３７】
基体部７は、仮に基体部７と枠体部８と突起部９とを分解する場合、図２に示すように平板状の部位であり、セラミック焼結体から成る。この基体部７の枠体部８側の面である上面２１における略中心には、発光素子３０が配置される素子搭載部２５が設けられている。この素子搭載部２５は、発光素子３０を搭載することができる領域である限りにおいて特に制限が無く、その周りの領域と特に区別されない領域とされても良く、発光素子３０が搭載され易いように立体的な形状とされていても良い。そして、基体部７の上面２１の内、枠体部８で囲まれる領域における少なくとも素子搭載部２５以外の領域は、基体部７を構成するセラミック焼結体が露出した状態とされ、発光素子３０が発光する光を反射する反射面とされている。
【００３８】
なお、基体部７の大きさは、発光素子３０の大きさ等により変わるため特に限定されないが、例えば、３ｍｍ（縦幅）×２ｍｍ（横幅）×０．６ｍｍ（厚さ）とされる。
【００３９】
また、基体部７の互いに向かい合う一対の側面のそれぞれには、配線導体の一部である一対の配線端子を設けるための一対の溝１５が設けられている。この溝１５は、基板本体１１の厚さ方向に延在しており、長手方向に垂直な断面の形状が略半円形とされている。
【００４０】
枠体部８は、素子搭載部２５を取り囲んで基体部７上に形成されるセラミック焼結体から成る環状の部位である。枠体部８の基体部７側と反対側の面である上面２３は平坦状とされる。また、枠体部８の外周側の側面の形状は、基体部７の側面の形状と同様とされており、外周側の側面には、基体部７から延在する溝１５が形成されている。つまり、溝１５は、図１に示すように、基体部７の側面から枠体部８の側面にかけて形成されている。また、枠体部８は、上述のように環状の部位であるため、枠体部８には、厚さ方向に貫通するする開口２４が形成されており、本実施形態において、この開口２４は、四角形の形状とされている。枠体部８は、基体部７上に形成されているため、基板本体１１としてみると、枠体部８は、基体部７と反対側が開口していることになる。枠体部８の内周面２２は、基体部７を構成するセラミック焼結体が露出した状態とされ、発光素子３０が発光する光の反射面として作用する。また、内周面２２は、枠体部８と基体部７とが一体とされた状態での枠体部８の開口方向（基体部７から枠体部８に向かう方向）において、外側に向かって広がる傾斜面とされている。このように内周面２２が傾斜することにより、発光素子３０から出射される光の内、広がるように進む光の少なくとも一部が、内周面２２で反射されて、進行方向が枠体部８の枠体部８の開口方向に近づくように補正される。
【００４１】
なお、枠体部８のサイズは、特に限定されないが、例えば３ｍｍ（縦幅）×２ｍｍ（横幅）×０．２ｍｍ（厚さ）とされる。また、傾斜面である内周面２２の傾斜角度θ１は、特に限定されないが、例えば７５°とされる。また、開口２４の基体部７側と反対側におけるサイズは、特に限定されないが、例えば０．９ｍｍ（縦幅）×０．９ｍｍ（横幅）とされる。尚、内周面２２の傾斜角度θ１とは、図２に示すように、発光素子搭載用基板１０の断面において、枠体部８の内部側から見た場合の基体部７の上面２１と枠体部８の内周面２２とがなす角度のことであり、本実施形態においては、上述のように、内周面２２が外側に向かって広がる傾斜面とされていることから、傾斜角度θ１は鋭角とされる。
【００４２】
突起部９は、枠体部８の基体部７側と反対側の面である上面２３上に形成され、枠体部８の厚さ方向に伸びるセラミック焼結体から成る部位であり、本実施形態においては、枠体部８における内周面２２と上面２３との縁に沿って形成されている。また、図１、図２に示すように、本実施形態においては、一対の突起部９が、開口２４を挟んで互いに対向する枠体部８の開口２４の一対の縁に沿ってそれぞれ設けられている。
【００４３】
図３は、図２に示す突起部９を拡大図である。図３に示すように、本実施形態において、突起部９は、開口２４側の面である第１傾斜面２６と、電極パッド４１ａ側の面である第２傾斜面２７とを有している。開口側の面とは、突起部９の枠体部８と最も離れた位置を基準として、開口２４側に位置している面を指し、電極パッド４１ａ側の面とは、同じ位置を基準として、電極パッド４１ａ側に位置している面を指す。第１傾斜面２６は、枠体部８の開口方向において、開口２４から離れる方向に傾斜しており、第２傾斜面２７は、枠体部８の開口方向において、電極パッド４１ａから離れる方向に傾斜している。また、本実施形態においては、第２傾斜面２７の傾斜角度βは、第１傾斜面２６の傾斜角度αよりも大きくされている。尚、傾斜角度α，βとは、図３に示すように、突起部９の内部側から見た場合の第１、第２傾斜面２６，２７と枠体部８の上面２３とがなす角度のことである。上述のように、枠体部８の開口方向において、第１傾斜面２６が開口から離れる方向に傾斜し、第２傾斜面２７が電極パッド４１ａから離れる方向に傾斜するため、第１、第２傾斜面２６，２７は、共に鋭角とされる。この第１，第２傾斜面２６，２７の傾斜角度α，βは、特に限定されないが、例えば、傾斜角度αが７５°で、傾斜角度βが８０°とされる。
【００４４】
また、本実施形態では、突起部９の第１傾斜面２６と枠体部８の内周面２２とは、連続して形成されており、第１傾斜面２６と内周面２２とが略面一に形成されている。なお、突起部９は、少なくとも開口２４側の面が、突起部９を構成するセラミック焼結体が露出した状態とされ、発光素子３０から発光された光の反射面として作用する。
【００４５】
なお、突起部９のサイズは、特に限定されないが、例えば、０．１ｍｍ（縦幅）×０．９ｍｍ（横幅）×０．０７ｍｍ（高さ）とされる。
【００４６】
ところで、上述のように、基体部７の枠体部８で囲まれる領域の内、少なくとも素子搭載部２５以外の領域は、セラミック焼結体が露出した状態とされる。また、枠体部８の内周面２２、及び、突起部９の少なくとも開口２４側の面は、それぞれセラミック焼結体が露出した状態とされる。従って、発光素子搭載用基板１０は、基体部７の枠体部８で囲まれる領域の内、少なくとも素子搭載部２５以外の領域、及び、枠体部８の内周面２２から突起部９の枠体部８と最も離れた位置までの領域において、セラミック焼結体が露出している状態とされる。つまり、これらの領域において、金属層が被着されていない状態とされる。そして、これらの領域が発光素子３０が発光する光を反射する反射面とされる。
【００４７】
また、基板本体１１は、基体部７と枠体部８と突起部９とが、一体成型後に焼結されたセラミック焼結体から成る。従って、基板本体１１は、基体部７と枠体部８との接合面、枠体部８と突起部９との接合面を有していない。そのため、発光素子３０から出射される光が、基板本体１１の反射面における基体部７と枠体部８との境界に達する場合や、枠体部８と突起部９との境界に達する場合に、接合面により反射効率が低下されることが防止されている。更に、本実施形態では、基板本体１１は単層のセラミック焼結体から成る。従って、基板本体１１は、接合面だけでなく積層界面も有していない。そのため、発光素子３０から出射される光が、基板本体１１の反射面における基体部７と枠体部８との境界に達する場合や、枠体部８と突起部９との境界に達する場合に、積層界面により反射効率が低下されることが防止されている。このため基板本体１１は、反射効率がより一層優れた構成とされている。
【００４８】
なお、基板本体１１を構成するセラミック焼結体としては、アルミナを主成分とするセラミック焼結体や、窒化アルミニウムを主成分とするセラミック焼結体や、ムライトを主成分とするセラミック焼結体や、低温焼成の一種であるガラス−セラミック焼結体等を挙げることができ、主成分としてアルミナを含み、添加成分としてバリウム元素を含むセラミック焼結体が、光の反射効率が優れる観点からより好ましい。
【００４９】
基板本体１１の表面には、上述のように配線導体が形成されている。この配線導体は、金属等の導体の層から構成されており、基板本体１１における枠体部８の上面２３上に設けられる上面配線導体４１と、基板本体１１の側面に形成される側面配線導体４２と、基板本体１１の底面上に形成される底面配線導体４３とから成る。
【００５０】
上面配線導体４１は、枠体部８の上面２３において、上面２３と溝１５が形成されている側面との縁に沿って直線状に形成されている。上述のように溝１５は、基体部７及び枠体部８の互いに対向する側面のそれぞれに一対ずつ形成されているため、上面配線導体４１は、枠体部８の上面２３上において、溝１５が形成されている互いに対向する一対の縁に沿って一対形成されている。そして、枠体部８の上面２３が溝１５によって浸食されている部分においては、枠体部８の上面２３の縁に沿って形成される上面配線導体４１も溝１５によって浸食されている。さらに、上面配線導体４１は、枠体部８の縁に沿って形成される部分の略中点から開口２４に向かって垂直に分岐する分岐部分を有しており、この分岐部分が突起部９の近傍まで延在している。このため、それぞれの上面配線導体４１は、枠体部８の上面２３を平面視する場合に略Ｔ字状の外形をしている。また、上面配線導体４１の分岐部分の幅は、この分岐部分の幅方向に沿った突起部９の幅よりも小さくされている。さらに、配線導体の厚さは、突起部９の高さよりも小さくされており、この結果、枠体部８の上面２３と同一面上において、開口２４側から上面配線導体４１の分岐部分を見る場合に、この分岐部分は突起部９の陰に位置して突起部９に隠れる。このような配線導体の厚さは、特に限定されないが、例えば、０．０１ｍｍとされる。
【００５１】
側面配線導体４２は、基体部７及び枠体部８の側面に共通に形成されているそれぞれの溝１５の内周面上に形成されており、基板本体１１における基体部７の底面から枠体部８の上面２３まで延在している。そして、側面配線導体４２は、溝１５の内周面と枠体部８の上面２３との縁において、上面配線導体４１と接続されている。
【００５２】
また、底面配線導体４３は、基板本体１１の底面、すなわち基体部７の枠体部８側とは反対側の面（底面）に複数設けられており、基板本体１１の底面とそれぞれの溝１５の内周面との縁において、それぞれの側面配線導体４２に接続されている。こうして底面配線導体４３は、側面配線導体４２を介して、上面配線導体４１と電気的に接続されている。これら底面配線導体４３、及び、側面配線導体４２は、発光装置１の外部と電気的に接続される配線端子とされる。
【００５３】
囲繞部１２は、図１、図２に示すように、突起部９よりも高さが高い環状の部材であり、枠体部８の上面２３上に形成されている。具体的には、囲繞部１２は、枠体部８の上面２３を平面視する場合に、トラック形状（略平行な２本の直線と、それらを繋ぐ２つの曲線とを有する形状）とされており、枠体部８の開口２４から離間して、更に枠体部８の開口２４突起部９とを取り囲み、更に上面配線導体４１の分岐部分の少なくとも先端を取り囲んで形成されている。
【００５４】
この囲繞部１２で囲まれる上面配線導体４１の分岐部分が、発光素子３０と電気的に接続される電極パッド４１ａとされる。この結果、電極パッド４１ａは、突起部９と囲繞部１２との間に形成されることになる。従って、枠体部８の上面２３と同一面上において、開口２４側から電極パッド４１ａを見る場合に、電極パッド４１ａは突起部９に隠れる。このように形成される電極パッド４１ａのサイズは、特に限定されないが、例えば、０．１５ｍｍ（縦幅）×０．３ｍｍ（横幅）×０．０１ｍｍ（厚さ）とされる。
【００５５】
また、囲繞部１２の内周面１２ａは、枠体部８の開口方向において、外側に向かって広がる傾斜面とされている。この内周面１２ａは、発光素子３０から出射された光の反射面として作用し、このように内周面１２ａが傾斜することにより、発光素子３０から出射される光の内、広がるように進む光の少なくとも一部が、内周面１２ａで反射されて、進行方向が枠体部８の開口方向に近づくように補正される。
【００５６】
囲繞部１２を構成する材料としては、特に限定されないが、例えば、ガラス組成物を挙げることができる。また、尚、ガラス組成物には、ガラス成分のみを用いることもできるが、発光素子搭載用基板１０の光の反射効率を向上させる観点から、ガラス成分とセラミック粒子との混合物を用いることがより好ましい。この場合、ガラス成分としては、例えば、ホウ珪酸ガラスを挙げることができ、セラミック粒子としては、酸化チタンや硫酸バリウム等の光散乱粒子を挙げることができる。
【００５７】
囲繞部１２の高さは、突起部９よりも高い限りにおいて特に限定されないが、例えば、０．１９ｍｍとすることができ、囲繞部１２の内周面１２ａの傾斜角度θ２は、特に限定されないが、例えば、８０°とされる。なお、この内周面１２ａの傾斜角度θ２とは、図２に示すように、発光素子搭載用基板１０の断面において、囲繞部１２の内部側から見た場合の枠体部８の上面２３と囲繞部１２の内周面１２ａとがなす角度のことであり、本実施形態においては、上述のように、囲繞部１２の内周面１２ａが外部に向かって広がる傾斜面とされていることから、傾斜角度θ２は鋭角とされる。
【００５８】
なお、上述した枠体部８の内周面２２の傾斜角度θ１、突起部９の第１傾斜面２６の傾斜角度α、第２傾斜面２７の傾斜角度β、及び、囲繞部１２の内周面１２ａの傾斜角度θ２は、発光素子搭載用基板１０を切断して、その切断面を画像化し、その画像より求めることができる。
【００５９】
このようにして発光素子搭載用基板１０において、基体部７と、枠体部８と、囲繞部１２により囲まれる空間とによりキャビティ２０が形成されている。
【００６０】
発光素子３０は、特に図示しないが、半導体の層や複数の電極を有して成り、単一或いは複数の波長帯域の光を出射することができるように構成されている。この発光素子３０は、キャビティ２０内の素子搭載部２５上に配置され、図示しない接着剤により固定される。そして、電極パッド４１ａと発光素子３０の電極とがボンディングワイヤ３２により電気的に接続される。このボンディングワイヤ３２は、発光素子３０の電極から突起部９を超えて電極パッド４１ａまで配線される。
【００６１】
さらに発光素子３０の電極と電極パッド４１ａとがボンディングワイヤ３２を介して電気的に接続された状態で、キャビティ２０内には、少なくとも発光素子３０及びボンディングワイヤ３２を覆うように、発光素子３０が発光する光を透過可能な光透過性の封止樹脂５０が充填される。封止樹脂５０に用いる樹脂としては、発光素子３０が発光する光を透過する樹脂である限りにおいて、特に限定されないが、エポキシ樹脂やシリコーン樹脂を挙げることができ、発光装置１の耐久性を向上させる観点から、シリコーン樹脂がより好ましい。また、封止樹脂５０には蛍光体が含有されても良く、このような蛍光体としては、発光素子３０から出射する光を受けて、他の波長の光を発光可能なものであれば良い。
【００６２】
このような発光装置１は、基板本体１１の底面に形成された端子としての底面配線導体４３や側面配線導体４２が、外部の電気回路基板の端子に接続されて使用される。発光装置１の使用状態においては、底面配線導体４３や側面配線導体４２に印加される電圧が、電極パッド４１ａやボンディングワイヤ３２等を介して、発光素子３０へ印加され、この電圧により発光素子３０が発光する。発光素子３０が発光する光は、封止樹脂５０を透過して直接発光装置１の外部に出射されたり、基板本体１１や囲繞部１２の表面で反射して、発光装置１の外部に出射する。
【００６３】
このとき基板本体１１においては、基体部７の枠体部８で囲まれる領域の内、少なくとも素子搭載部２５以外の領域、及び、枠体部８の内周面２２から突起部９の枠体部８と最も離れた位置までの領域において、セラミック焼結体が露出しているため、発光素子３０が発光する光は、露出したセラミック焼結体で直接反射する。従って、金属層による反射効率の低下を防止することができる。
【００６４】
また、発光素子３０が発光する光は、突起部９により遮られて電極パッド４１ａに届きにくくなり、電極パッド４１ａで反射する光の量を低減することができる。従って、電極パッド４１ａによる反射効率の低下や、電極パッド４１ａの経時劣化による反射効率の更なる低下といった不具合を低減することができる。このように本実施形態の発光素子搭載用基板１０を用いることで、発光装置１は、長期間に亘って優れた光の反射効率を発揮することができる。
【００６５】
また、本実施形態の発光素子搭載用基板１０においては、上述のように、枠体部８の内周面２２が、枠体部８の開口方向において、外側に向かって広がる傾斜面とされるため、発光素子３０から出射される光の内、広がるように進む光の少なくとも一部は、枠体部８の内周面２２で反射して、進行方向が枠体部８の開口方向に近づくように補正される。そして、囲繞部１２の内周面１２ａの傾斜角度が、枠体部８の内周面２２の傾斜角度より大きくされることにより、囲繞部１２の内周面１２ａの傾斜角度が、枠体部８の内周面２２の傾斜角度以下である場合と比べて、発光素子３０から広がるように出射される光の内、枠体部８の内周面２２で反射されない光が、囲繞部１２の内周面１２ａで反射され易くなる。囲繞部１２で反射される光は、囲繞部１２の内周面１２ａが、枠体部８の開口方向において、外側に向かって広がる傾斜面であるため、進行方向が枠体部８の開口方向に近づくように補正される。発光装置１は、このような発光素子搭載用基板１０を用いているため、光の集光性を良好とすることができる。
【００６６】
また、本実施形態においては、上記のように、第２傾斜面２７の傾斜角度βが、第１傾斜面２６の傾斜角度αよりも大きくされることにより、素子搭載部２５に搭載される発光素子３０から出射されて突起部９を超える光が、枠体部８の上面２３における突起部９の近傍に照射されづらくなる。従って、第２傾斜面２７の傾斜角度βが、第１傾斜面２６の傾斜角度αよりも大きくされることにより、発光素子３０が発光する光が、電極パッド４１ａにより届きにくくなる。なお、上記において、第２傾斜面２７の傾斜角度βが鋭角であるとしたが、第２傾斜面２７の傾斜角度βを垂直をすることにより、より一層と発光素子３０が発光する光が、電極パッド４１ａにより届きにくくなる。この場合、第２傾斜面２７は、枠体部８の上面２３に対して垂直となる。
【００６７】
なお、本実施形態においては、一対の突起部９が、開口２４を挟んで互いに対向する枠体部８の開口２４の一対の縁に沿ってそれぞれ設けられるものとしたが、突起部９は、１ヶ所、又は３ヶ所以上で形成していても良い。また、枠体部８の開口２４を取り囲むように、環状に形成しても良い。突起部９が、枠体部８の開口２４を取り囲むように形成される場合、突起部９の開口２４側の面（内周面）により、素子搭載部２５に搭載される発光素子３０が発光する光をより効率良く反射することができる。
【００６８】
次に、発光装置１を製造する方法について説明する。
【００６９】
図４は、図１に示す発光装置１を製造する工程を示すフローチャートである。図４に示すように、発光素子搭載用基板１０の製造方法は、シート準備工程Ｐ１ａと、プレス工程Ｐ１ｂと焼成工程Ｐ１ｃと、を有する本体作製工程Ｐ１と、配線導体形成工程Ｐ２と、囲繞部形成工程Ｐ３と、素子実装工程Ｐ４と、樹脂封止工程Ｐ５と、を備える。
【００７０】
＜本体作製工程Ｐ１＞
（シート準備工程Ｐ１ａ）
まず、セラミックグリーンシートを準備する。図６は、本工程において準備されるセラミックグリーンシートを示す図である。図６に示すように本工程においては、平坦なセラミックグリーンシート２を準備する。具体的には、例えば、基板本体１１が、バリウムが添加されたアルミナセラミックから成る場合には、アルミナ粉末、炭酸バリウム粉末、有機バインダ、溶剤、可塑剤等を適宜混合してスラリーを調製する。そして、調製したスラリーをドクターブレード法やカレンダーロール法等の方法により、平坦なシート状に成形して単層のセラミックグリーンシート２を作製する。なお、セラミックグリーンシート２は、原料粉末を成型機に充填して、加圧成形して作製することもできる。
【００７１】
（プレス工程Ｐ１ｂ）
次に、シート準備工程Ｐ１ａで準備した平坦なセラミックグリーンシート２をプレス成型して、発光素子搭載用基板１０の基体部７、及び、枠体部８、及び、突起部９を形成する。この形成においては、プレス機により、少なくとも、基体部７の上面２１と、枠体部８の内周面２２及び上面２３と、突起部９とを形成するための成形型が形成された金型を平坦なセラミックグリーンシート２の一方の面に押圧する。この押圧力により、セラミックグリーンシート２の上面の少なくとも一部に立体形状を形成する。こうして、図６に示す基体部７と、枠体部８と、突起部９とが一体形成された単層のセラミックグリーンシート１１ａを得る。
【００７２】
（焼成工程Ｐ１ｃ）
次に、基体部７と、枠体部８と、突起部９とが一体形成された単層のセラミックグリーンシート１１ａを焼成する。このとき、上記のように、基板本体１１がバリウムが添加されたアルミナセラミックから成る場合には、アルミナが焼結し得る所定の温度（例えば、１４００℃から１８００℃程度の温度）で焼成する。この焼成により、セラミックグリーンシート１１ａを焼結させて、基体部７と枠体部８と突起部９とが、一体化した単層のアルミナセラミックから成る図１に示す基板本体１１を得る。
【００７３】
＜配線導体形成工程Ｐ２＞
次に、基板本体１１に配線導体を形成する。具体的には、金属粉末、有機バインダ、溶剤、可塑剤等を適宜混合して、導体ペーストを調製する。そして、その導体ペーストを、枠体部８の上面２３上の上面配線導体４１が形成される位置、及び、側面配線導体４２が形成される位置（溝１５の内周面上）、及び、基体部７の底面における底面配線導体４３が形成される位置に印刷する。この印刷の方法としては、例えば、スクリーン印刷やインクジェット印刷を挙げるとことができる。その後、導体ペーストが印刷された状態の基板本体１１を焼成することで、導体ペーストを固化する。こうして、上面配線導体４１、側面配線導体４２、底面配線導体４３が形成され、図７に示すように、基板本体１１に配線導体が形成された状態となる。
【００７４】
＜囲繞部形成工程Ｐ３＞
次に、囲繞部を形成する。具体的には、例えば、酸化ケイ素（ＳｉＯ２）、酸化アルミニウム（Ａｌ２Ｏ３）、酸化ホウ素（Ｂ２Ｏ３）等を主成分とするガラス粉末と、酸化チタン（ＴｉＯ２）、硫酸バリウム（ＢａＳＯ４）等の光散乱粒子（セラミック粉末）と有機ビヒクルとを適宜混合して、ガラスペーストを調製する。そして、図７に示す配線導体が形成された基板本体１１の枠体部８の上面２３上において、囲繞部１２が位置する場所に調製したガラスペーストを塗布する。具体的には、枠体部８の上面２３を平面視する場合に、開口２４から離間して、開口２４、及び、突起部９、及び、上面配線導体４１における突起部９の近傍の一部を取り囲むようにガラスペーストをスクリーン印刷する。その後、ガラスペーストが印刷された状態の基板本体１１を焼成して、ガラスペーストの印刷層を焼結する。焼結したガラスペーストは、ガラス焼成膜を形成する。次に、形成したガラス焼成膜の上に、先程と同様にしてガラスペーストをさらに印刷し、再び焼成する。このガラスペーストの印刷、及び、焼成から成る工程を複数回行うことにより、ガラス焼成膜の積層体からなる囲繞部１２が形成される。そして、上面配線導体４１の囲繞部で囲まれる部分が電極パッド４１ａとなる。こうして、図８に示すように基板本体１１上に囲繞部１２が形成された状態となる。こうして、図１、図２に示す発光素子搭載用基板１０を得る。
【００７５】
なお、囲繞部１２は、ガラスペーストの印刷を複数回行った後に一度に焼成することで、形成されても良く、また、ガラスペーストを厚く１回印刷した後に焼成することで、形成されても良い。
【００７６】
＜素子実装工程Ｐ４＞
次に、得られた発光素子搭載用基板１０の素子搭載部２５に、予め準備しておいた発光素子３０を接着剤により固着する。その後、電極パッド４１ａとボンディングワイヤ３２の一端とをはんだ付けすると共に、発光素子３０の電極とボンディングワイヤ３２の他端とをはんだ付けする。こうして発光素子３０の電極と、電極パッド４１ａとが電気的に接続され、発光素子３０が実装される。こうして、図９に示すように発光素子搭載用基板１０に発光素子３０が実装された状態となる。
【００７７】
＜樹脂封止工程Ｐ５＞
次に、キャビティ２０に、固化前の封止樹脂を発光素子３０及びボンディングワイヤ３２が埋まるまで充填する。このとき、固化後において、囲繞部１２の上面と封止樹脂とが面一になるように充填する。例えば、図２に示す封止樹脂が紫外線硬化樹脂であれば、この紫外線硬化樹脂の前駆体である液状の紫外線硬化性樹脂を充填して、その後、紫外線を照射することにより樹脂を固化させれば良い。
【００７８】
こうして、図１に示す発光装置１を得る。
【００７９】
本実施形態の発光素子搭載用基板１０の製造方法により製造される発光素子搭載用基板１０は、囲繞部１２で囲まれる配線導体が電極パッド４１ａとなり、この結果、枠体部８上における突起部９と囲繞部１２との間に電極パッド４１ａが形成される。従って、本実施形態の発光素子搭載用基板の製造方法によれば、長期間に亘って優れた光の反射効率を発揮する発光装置を実現可能な発光素子搭載用基板１０を製造することができる。
【００８０】
また、本実施形態においては、プレス工程Ｐ１ｂにおいて、単層のセラミックグリーンシート２にプレス成型を施すことにより、基体部７と、枠体部８と、突起部９とを一体形成した。このように単層のセラミックグリーンシート２にプレス成型する工程を経て、基板本体１１が形成されることで、基体部７の表面と枠体部８の表面との境界や、枠体部８の表面と突起部９の表面との境界に積層界面が生じることを防止することができる。従って、光の反射効率がより良好な発光装置１を実現可能な発光素子搭載用基板１０を製造することができる。
【００８１】
このように単層のセラミックグリーンシート２をプレス成型する工程を経て、基板本体１１が形成されることが好ましいが、セラミック粒子同士の摩擦係数が高いため、一般にセラミックグリーンシート２をプレス成形することによりセラミック粒子を全体的に大きく移動させることは困難である。このためプレス成型により、セラミックグリーンシートに開口２４を形成する場合、開口２４の近傍におけるセラミックの密度が他の場所よりも高くなったり、プレス後のセラミックグリーンシートの上面の平坦性を担保出来ない場合がある。しかし、本実施形態の発光素子搭載用基板の製造方法によれば、プレス成型前のセラミックグリーンシートにおいて開口されるべき場所に位置するセラミック粒子を、プレス成型の圧力によって突起部９に移動させることができる。このためセラミック粒子を全体的に大きく移動させることを必要とせず、適切に開口２４を形成することができる。従って、本実施形態のように基板本体１１が突起部９を有することにより、単層のセラミック焼結体からなり、光の反射効率がより良好な発光装置１を実現可能な発光素子搭載用基板１０を適切に製造することができる。
【００８２】
以上、本発明について、上記実施形態を例に説明したが、本発明はこれらに限定されるものではない。
【００８３】
例えば、上記実施形態において、基板本体１１が単層のセラミック焼結体から成るものとしたが、本発明はこれに限らない。例えば、基板本体１１には、積層のセラミック焼結体も用いることができる。その場合、基体部７と枠体部８と突起部９とに対応したセラミックグリーンシートを積層圧着して一体化させた後、焼成して作製すれば良い。ただし、上記のように、基板本体１１が単層のセラミック焼結体から成るものであれば、より光の反射効率に優れる発光装置を実現することができる。
【００８４】
また、上記実施形態においては、枠体部８の内周面２２の傾斜角度θ１よりも、囲繞部１２の内周面１２ａの傾斜角度θ２が大きいものとしたが、本発明はこれに限らず、傾斜角度θ１と傾斜角度θ２とが同じ角度であったり、傾斜角度θ１が傾斜角度θ２よりも囲大きくても良い。また、突起部９の第２傾斜面２７の傾斜角度βが、第１傾斜面２６の傾斜角度αよりも大きいものとしたが、傾斜角度αと傾斜角度βとが同じ角度であっても良く、傾斜角度αが傾斜角度βよりも大きくても良い。
【００８５】
また、上記実施形態においては、枠体部８の内周面２２と突起部９の第１傾斜面２６とが、連続して形成され面一とされたが、本発明は、これに限らず、内周面２２と突起部９が面一とされなくとも良く、更に、連続して形成されていなくても良い。
【００８６】
図１０は、このような突起部の変形例を示す図である。なお、本変形例を説明するにあたり、上記実施形態と同一又は同等の構成要素については、特に説明する場合を除き、同一の参照符号を付して重複する説明は省略する。
【００８７】
図１０に示すように、本変形例においては、突起部９１は、枠体部８の開口２４から離間して形成される。従って、素子搭載部２５に搭載される発光素子３０から出射される光が電極パッド４１ａに回り込むことをより抑制することができる。
【００８８】
また、上記実施形態における突起部９は、断面における形状が全体的に山なりとなっていたが、本変形例においては、枠体部８における突起部９１が形成される面と対向する平面２８を有している。言い換えると、開口側の第１傾斜面２６ａと電極パッド４１ａ側の傾斜面２７ａとの間に、枠体部８における突起部９１が形成される面（上面２３）と平行な平面２８が形成されている。突起部９１の上面がこのように平面状であることにより、上記実施形態のように枠体部８側と反対側の面の形状が曲面状である同じ高さの突起部９と比べると、発光素子３０が発光する電極パッド４１ａに回り込むことをより抑制することができる。従って、電極パッド４１ａによる反射効率の低下や、電極パッド４１ａの経時劣化による反射効率の更なる低下といった不具合をより低減することができる。
【００８９】
また、上記実施形態においては、単層のセラミックグリーンシート２を、プレス成型することで、基板本体１１の形状を形成したが、本発明はこれに限らず、金型に原料粉末を充填して加圧成形することで、基板本体１１の形状を形成しても良い。
【産業上の利用可能性】
【００９０】
以上説明したように本発明によれば、本発明によれば、長期間に亘って優れた光の反射効率を発揮する発光装置を実現することができる発光素子搭載用基板、及び、それを用いた発光装置、及び、発光素子搭載用基板の製造方法が提供され、液晶モニタのバックライト、交通表示装置、その他幅広い分野で利用することができる。
【符号の説明】
【００９１】
１・・・発光装置
７・・・基体部
８・・・枠体部
９，９１・・・突起部
１０・・・発光素子搭載用基板
１１・・・基板本体
１２・・・囲繞部
２０・・・キャビティ
２４・・・開口
３０・・・発光素子
３２・・・ボンディングワイヤ
４１・・・上面配線導体
４１ａ・・・電極パッド
４２・・・側面配線導体
４３・・・底面配線導体
５０・・・封止樹脂
Ｐ１・・・本体作製工程
Ｐ１ａ・・・シート準備工程
Ｐ１ｂ・・・プレス工程
Ｐ１ｃ・・・焼成工程
Ｐ２・・・配線導体形成工程
Ｐ３・・・囲繞部形成工程
Ｐ４・・・素子実装工程
Ｐ５・・・樹脂封止工程
【図１】
0005952569.tif 000002
【図２】
0005952569.tif 000003
【図３】
0005952569.tif 000004
【図４】
0005952569.tif 000005
【図５】
0005952569.tif 000006
【図６】
0005952569.tif 000007
【図７】
0005952569.tif 000008
【図８】
0005952569.tif 000009
【図９】
0005952569.tif 000010
【図１０】
0005952569.tif 000011